(57)【要約】【課題】ガスメータ、ガスメータに接続された無線親機、無線親機と無線通信を行う無線子機、及び無線子機に接続されたガス警報器を備えた無線システムにおいて、建物の電源コンセントに余裕がなくても、電源コンセントへの配線を増やすことなく無線子機とガス警報器とに電源を供給できるようにする。【解決手段】ガス警報器１に、無線子機２に電源を供給するための電源出力手段１４を設けるか、若しくは、無線子機２に、ガス警報器１に電源を供給するための電源出力手段を設ける。【選択図】図２
2010277503.tif 000002
【特許請求の範囲】
【請求項１】
無線通信を行う無線親機と、該無線親機との間で無線通信を行う無線子機と、前記無線親機に接続されるガスメータと、前記無線子機に接続されるガス警報器とから構成され、無線親機と無線子機との間で無線通信を行い、前記ガスメータと前記ガス警報器との間で情報をやり取りする無線システムにおいて、前記無線子機、前記ガス警報器の何れか一方に、他方に電源を供給するための電源出力手段を設けたことを特徴とする無線システム。
【請求項２】
前記電源出力手段を前記ガス警報器に設けたことを特徴とする請求項１に記載の無線システム。
【請求項３】
前記電源出力手段を前記無線子機に設けたことを特徴とする請求項１に記載の無線システム。
【請求項４】
前記無線子機、前記ガス警報器の何れか一方に嵌合部を設け、他方に該嵌合部に嵌合させるための爪部を設け、前記嵌合部に該爪部を嵌合させることで前記無線子機と前記ガス警報器とを固定することを特徴とする請求項１〜３の何れか１項に記載の無線システム。
【発明の詳細な説明】
【技術分野】
【０００１】
本発明は、無線システムに関し、より詳細には、保安のためにガスメータとガス警報器とを無線通信にて接続する無線システムに関する。
【背景技術】
【０００２】
ガスメータは、ガス警報器と通信可能に接続され、これにより保安システムを形成している。ガス警報器は、ガス漏れを検知したときブザーや音声にてガスが漏れていることを使用者に知らせるとともに、ガスメータに対してガス漏れが起きている旨の信号を送る。ガスメータは、ガス警報器からの信号を受けると、内蔵されている遮断弁にてガスの供給を遮断することで、ガス爆発や火災、ガス中毒の事故を未然に防止する。
【０００３】
また、ガスメータにてガスの使用量を監視しており、長時間使用していたり、ガス管外れなどによりガスの流量が異常となったりした場合、ガス警報器に対して各事象に対応した信号を送り、ガス警報器はその旨を音声やブザーにて使用者へ警告したり、更には、異常状態が解消しガスが使用できる状態となったことなど、現在のガスメータやガス警報器の状態やガスの使用状況などを知らせたりすることも可能となっている。
【０００４】
一般的に、ガスメータは屋外やマンション等であればパイプシャフト内に設置され、ガス警報器は台所に設置される。このガスメータとガス警報器とを有線で接続しようとした場合には、壁に穴を開けたり、電線を敷設するなどの工事が必要となり、美観の上でも好ましくない。
【０００５】
このような配線工事を不要にするために、ガスメータとガス警報器との双方に無線装置を接続し、双方の無線装置の間で通信を行う無線システムが開示されている（例えば、特許文献１−４を参照）。
【０００６】
そして、従来の無線システムでは、ガスメータに接続される無線親機やガス警報器に接続される無線子機の電源には電池を使用する場合が多いが、無線子機は台所に設置されるため、電源に商用電源を用いられる場合もある。
【発明の概要】
【発明が解決しようとする課題】
【０００７】
しかし、この従来の商用電源を用いる無線子機においては、大抵の場合、ガス警報器にも商用電源が必要であるので２つの電源コンセントが必要となるが、他の電化製品用に電源コンセントを用いてしまうと、２つの電源コンセントを確保するのが難しかったりする。特に、ガス警報器が既設されていた場合には、既に電源コンセントが使用されていることが多い。
【０００８】
また、無線子機はガス警報器の隣など、ガス警報器の近くに設置されるため、電源コンセントからガス警報器と無線子機への２本の電源コードが引かれることとなり、見苦しくなる。また、無線子機とガス警報器とを同じ位置ではなく近くに設置すると、見苦しくなる。
【０００９】
本発明は、上述のような実状に鑑みてなされたものであり、その目的は、ガスメータ、ガスメータに接続された無線親機、無線親機と無線通信を行う無線子機、及び無線子機に接続されたガス警報器を備えた無線システムにおいて、建物の電源コンセントに余裕がなくても、電源コンセントへの配線を増やすことなく無線子機とガス警報器とに電源を供給できるようにすることにある。
【００１０】
また、本発明の他の目的は、ガスメータ、ガスメータに接続された無線親機、無線親機と無線通信を行う無線子機、及び無線子機に接続されたガス警報器を備えた無線システムにおいて、建物の電源コンセントに余裕がなくても、電源コンセントへの配線を増やすことなく無線子機とガス警報器とに電源を供給できるようにし、且つ無線子機とガス警報器とを同じ位置に取り付け可能にすることにある。
【課題を解決するための手段】
【００１１】
上記課題を解決するために、本発明の第１の技術手段は、無線通信を行う無線親機と、該無線親機との間で無線通信を行う無線子機と、前記無線親機に接続されるガスメータと、前記無線子機に接続されるガス警報器とから構成され、無線親機と無線子機との間で無線通信を行い、前記ガスメータと前記ガス警報器との間で情報をやり取りする無線システムにおいて、前記無線子機、前記ガス警報器の何れか一方に、他方に電源を供給するための電源出力手段を設けたことを特徴としたものである。
【００１２】
第２の技術手段は、第１の技術手段において、前記電源出力手段を前記ガス警報器に設けたことを特徴としたものである。
【００１３】
第３の技術手段は、第１の技術手段において、前記電源出力手段を前記無線子機に設けたことを特徴としたものである。
【００１４】
第４の技術手段は、第１〜第３の何れか１の技術手段において、前記無線子機、前記ガス警報器の何れか一方に嵌合部を設け、他方に該嵌合部に嵌合させるための爪部を設け、前記嵌合部に該爪部を嵌合させることで前記無線子機と前記ガス警報器とを固定することを特徴としたものである。
【発明の効果】
【００１５】
本発明によれば、ガスメータ、ガスメータに接続された無線親機、無線親機と無線通信を行う無線子機、及び無線子機に接続されたガス警報器を備えた無線システムにおいて、建物の電源コンセントに余裕がなくても、電源コンセントへの配線を増やすことなく無線子機とガス警報器とに電源を供給できるようになる。
【００１６】
また、本発明の他の形態によれば、このような無線システムにおいて、無線子機とガス警報器とを同じ位置に取り付けることができるようになる。
【図面の簡単な説明】
【００１７】
【図１】本発明に係る無線システムの構成例を示す概略図である。
【図２】図１の無線システムにおける無線子機及びガス警報器の一構成例を示す図である。
【図３】図１の無線システムにおける無線子機及びガス警報器の他の構成例を示す図である。
【図４】従来のガス警報器の設置方法の一例を示す図である。
【図５】図３の無線子機及びガス警報器の設置方法の一例を示す図である。
【図６】図５に示した無線子機に代わる無線子機の例を示す図である。
【発明を実施するための形態】
【００１８】
図１は、本発明に係る無線システムの構成例を示す概略図である。図１で例示する無線システムは、ガスメータ４とガス警報器１との間を無線接続し、無線通信にて情報を交換して、ガス漏れ等による危険を未然に防止するシステムである。この無線システムでは、この無線接続のために無線通信機器（無線送受信装置）を、ガスメータ４側とガス警報器１側とに用いる。ガスメータ４には無線通信機器である無線親機３を有線で接続し、それらの間で情報の送受を可能とし、ガス警報器１には無線通信機器である無線子機２を有線で接続し、それらの間で情報の送受を可能としている。そして、無線親機３と無線子機２との間で無線通信を行うことで、ガスメータ４とガス警報器１との間で相互に情報をやり取りすることができる。
【００１９】
図１のような無線システムにおいて、本発明では、無線子機２とガス警報器１の何れか一方に、他方に電源を供給するための電源出力手段を設けている。
【００２０】
この電源出力手段をガス警報器１側に設けた例を、図２を参照しながら説明する。図２は、図１の無線システムにおける無線子機及びガス警報器の一構成例を示す図である。なお、図２では、図１のガス警報器１、無線子機２に対応する機器を、それぞれガス警報器１ａ、無線子機２ａとして説明する。
【００２１】
図２の構成例では、ガス警報器１ａに電源出力手段１４を設けており、無線子機２ａとしては従来の無線子機を適用できる。ガス警報器１ａは、無線子機２ａと通信を行うための通信手段１１と、ガス漏れ等を検知する検知手段１３と、検知手段１３によりガス漏れ等を検知したときや通信手段１１にて情報を受信したときに、使用者へ音声やブザー等で知らせるための報知手段１２と、商用電源へ接続してガス警報器１ａの各手段へ電源供給する電源入力手段１５と、電源を外部機器へ供給するための電源出力手段１４とを備える。
【００２２】
電源入力手段１５は電源プラグにより、建物の壁などに設置された電源コンセントに接続され、ガス警報器１ａの各手段へ電源を供給している。また、電源出力手段１４は電源入力手段１５と接続しており、電源入力手段１５から供給された商用電源を外部機器へ供給できるようになっている。この電源出力手段１４へ無線子機２ａの電源プラグを差し込み接続することで、無線子機２ａへ電源を供給できるようにしている。
【００２３】
この構成例では、ガス警報器１ａ側に、商用電源を出力できるように電源出力手段１４を設けたので、無線子機２ａの電源をガス警報器１ａの電源出力手段１４から供給でき、建物の電源コンセントに差し込み口の余裕がなくても無線子機２ａとガス警報器１ａとを設置できるとともに、電源コンセントへの配線も増えず、美観を損なうことがない。また、無線子機２ａは従来のものがそのまま利用できる。
【００２４】
このようなガス警報器１ａ及び無線子機２ａを備えた図１の無線システムにおける保安に関する動作について簡単に説明する。ガス警報器１ａにおいて、ガス漏れを検知手段１３が検知したとき、報知手段１２が音声又はブザー等により使用者へガスが漏れていることを知らせるよう動作するとともに、通信手段１１がガス漏れに対応する信号を無線子機２ａに出力する。
【００２５】
このガス漏れ信号を受信した無線子機２ａは、無線通信にて無線親機３を介してガスメータ４へ通報し、ガスメータ４はガスの使用状態などから総合的に判断し、必要であればガスの供給を遮断弁等により遮断する。なお、図３の構成例について後述するように、遮断が解除されたときにも、一旦ガスメータ４との無線親機３及び無線子機２ｂを介した通信を経て報知手段１２が音声又はブザー等により使用者へ解除されたことを知らせるとよい。
【００２６】
次に、上述の電源出力手段を無線子機２側に設けた例を、図３を参照しながら説明する。図３は、図１の無線システムにおける無線子機及びガス警報器の他の構成例を示す図である。なお、図３では、図１のガス警報器１、無線子機２に対応する機器を、それぞれガス警報器１ｂ、無線子機２ｂとして説明する。
【００２７】
図３の構成例では、無線子機２ｂに電源出力手段２５を設けており、ガス警報器１ｂとしては従来のガス警報器を適用できる。無線子機２ｂは、無線通信を行うための無線通信手段２２及びアンテナ２１と、接続されるガス警報器１ｂや無線通信手段２２と通信を行う制御手段（通信制御手段）２３と、商用電源へ接続して無線子機２ｂの各手段へ電源供給する電源入力手段２４と、電源を外部機器へ供給するための電源出力手段２５とを備える。
【００２８】
電源入力手段２４は電源プラグにより、建物の壁などに設置された電源コンセントに接続され、無線子機２ｂの各手段へ電源を供給している。また、電源出力手段２５は電源入力手段２４と接続しており、電源入力手段２４から供給された商用電源を外部機器へ供給できるようになっている。この電源出力手段２５へガス警報器１ｂの電源プラグを差し込み接続することで、ガス警報器１ｂへ電源を供給できるようにしている。
【００２９】
この構成例では、無線子機２ｂ側に、商用電源を出力できるように電源出力手段２５を設けたので、ガス警報器１ｂの電源を無線子機２ｂの電源出力手段２５から供給でき、建物のコンセントに差し込み口の余裕がなくても無線子機２ｂとガス警報器１ｂを設置できるとともに、壁のコンセントへの配線も増えず、美観を損なうことがない。また、ガス警報器１ｂは従来のものがそのまま利用できる。
【００３０】
このようなガス警報器１ｂ及び無線子機２ｂを備えた図１の無線システムにおける保安に関する動作について簡単に説明する。ガス警報器１ｂにおいて、図２の検知手段１３、報知手段１２、及び通信手段１１と同等の手段により、ガス漏れを検知したとき、音声又はブザー等により使用者へガスが漏れていることを知らせるとともに、ガス漏れに対応する信号（ガス漏れ信号）を無線子機２ｂに出力する。
【００３１】
このガス漏れ信号を受信した無線子機２ｂは、ガス漏れを検知した旨の情報（ガス漏れ情報）を無線親機３に対して出力する。より具体的には、無線子機２ｂの制御手段２３は、このガス漏れ信号を受信すると、無線通信手段２２にて無線親機３を呼出して、無線親機３と接続確認を行った後、ガス漏れ情報を無線親機３に無線送信する。無線親機３は受信したガス漏れ情報をガスメータ４へ送り、ガスメータ４はガスの使用状態などから総合的に判断し、必要であればガスの供給を遮断弁等により遮断する。
【００３２】
また、ガスメータ４で遮断を解除したときには、ガスメータ４は無線親機３へ解除の信号を送り、無線親機３は無線子機２ｂを呼出し接続確認の後、解除信号を無線子機２ｂに無線送信する。無線子機２ｂの制御手段２３は、無線通信手段２２にて受信した解除信号をガス警報器１ｂへ送信する。ガス警報器１ｂでは、報知手段が、遮断が解除された旨を音声やブザー等で使用者に知らせるようにしている。
【００３３】
次に、無線子機及びガス警報器の設置例について説明する。設置を簡単に且つ見栄え良くするために、無線子機、ガス警報器の何れか一方に嵌合部を設け、他方にその嵌合部に嵌合させるための爪部を設け、嵌合部に爪部を嵌合させることで無線子機とガス警報器とを固定することが好ましい。
【００３４】
図４〜図６を参照しながら、図３の構成例である無線子機２ｂ及びガス警報器１ｂの設置方法を説明する。図４は従来のガス警報器の設置方法の一例を示す図で、図５は図３の無線子機及びガス警報器の設置方法の一例を示す図である。
【００３５】
まず、ガス警報器１ｂの従来の設置方法について説明する。ガス警報器１ｂの設置には、図４に示すような取付板５を利用する。この取付板５には、バネ性を持ち先端がフック状になった爪部５２が形成されており、ガス警報器１ｂの側面にはその爪部５２が嵌合する形状の嵌合部１６が設けられている。
【００３６】
ガス警報器１ｂを設置する際には、取付板５を予めガス警報器１ｂを設置する位置の壁面に取り付けておき、ガス警報器１ｂを取付板５の２個の爪部５２の間に押し込んで、取付板５の爪部５２とガス警報器１ｂの嵌合部１６を嵌合させて固定する。
【００３７】
次に、無線子機２ｂの設置方法について説明する。図５に例示するように、無線子機２ｂには、その側面に電源出力手段２５を設けるとともに、図４のガス警報器１ｂの嵌合部１６と同じ形状の嵌合部２６を設け、正面には図４の取付板５の爪部５２と同じ形状の爪部２７を設けておく。
【００３８】
そして、無線子機２ｂを、図４でガス警報器１ｂについて説明したように爪部５２を嵌合部２６に嵌合させて取付板５に取り付けるとともに、ガス警報器１ｂを、爪部２７を嵌合部１６に嵌合させて無線子機２ｂに取り付ける。
【００３９】
これにより、取付板５もガス警報器１ｂもその形状を変更することなく従来のままで取付可能となるとともに、無線子機２ｂとガス警報器１ｂが一体となり、無線子機２ｂを新たに設置するスペースがなくても設置でき、美観上も好ましく設置できる。
【００４０】
このように、嵌合部２６を嵌合部１６と同じ形状にすることで、従来の取付板５を利用して、無線子機２ｂが取り付けられ、爪部２７を爪部５２と同じ形状にすることで、その無線子機２ｂに従来のガス警報器１ｂが取り付けられる。但し、嵌合部１６と嵌合部２６、及び、爪部５２と爪部２７とは同じ形状にしなくてもよく、嵌合部２６と爪部５２、及び、嵌合部１６と爪部２７とがそれぞれ固定可能であれば無線子機２ｂを新たに設置するスペースがなくても設置でき、美観上も好ましく設置できる。さらに、ガス警報器１ｂ側に爪部を設け、その爪部に嵌合する嵌合部（嵌合部２６とは別の嵌合部）を無線子機２ｂに形成しておいてもよい。
【００４１】
また、ガス警報器１ｂと無線子機２ｂとの取り付け順序が逆になるように爪部や嵌合部を構成してもよい。つまり、取付板５に従来通りガス警報器１ｂを取り付けてガス警報器１ｂに重ねるように無線子機２ｂを取り付けてもよい。この場合、ガス検知センサの位置が無線子機２ｂに重ならないようにすればよい。
【００４２】
また、上述した例では、取付板５とガス警報器１ｂ、無線子機２ｂの取り付け固定方法として、図示するような爪部と嵌合部の組合せのみ説明したが、嵌合部としてはスリット状のものを採用してもよく、機器同士が固定できる方法であればその固定手段は限定されるものではない。また、電源出力手段２５の位置を側面として説明しているが、底面でも上面でも構わない。さらに、嵌合部１６，２６の形成位置を側面としているが、爪部２７，５２が嵌合できる位置であればよく、上面と底面とに形成するなどしてもよい。
【００４３】
図６は、図５に示した無線子機に代わる無線子機の例を示す図である。図６で例示する無線子機２ｃは、図５で示した無線子機２ｂの代わりに無線システムに組み込むことができる。
【００４４】
無線子機２ｃは、その底部に凹部２８が形成されており、その奥に電源出力手段２５を設けている。この電源出力手段２５へガス警報器１ｂの電源プラグを接続するが、奥まっているため無線子機２ｃへガス警報器１ｂを重ねて取り付けると電源プラグが隠れ、外観がスッキリするとともに、いたずら等でガス警報器１ｂの電源プラグを抜かれたりする心配もなくなる。
【００４５】
以上、図３の構成例を挙げて、図４〜図６を参照しながら、無線子機２ｂとガス警報器１ｂとの設置方法について説明したが、図２の構成例、すなわち電源出力手段１４をガス警報器１ａ側に設けた構成例についても、ガス警報器１ａ、無線子機２ａの何れか一方に嵌合部を設け、他方に爪部を設けることで、同様に適用できる。
【００４６】
また、以上の例では、電源プラグがコードを伴うものであることを前提として図示して説明したが、電源プラグはコードを伴わずプラグ部分だけで構成してもよい。このような構成は、図５や図６で説明したように無線子機とガス警報器とが壁等の同じ位置に重ねて設置するようにしておき、一方にコンセントを設け他方に電源プラグを設けておくことで適用できる。このような構成でも、外観がスッキリするとともに、いたずら等でガス警報器の電源プラグを抜かれたりする心配もなくなる。
【符号の説明】
【００４７】
１，１ａ，１ｂ…ガス警報器、２，２ａ，２ｂ，２ｃ…無線子機、３…無線親機、４…ガスメータ、５…取付板、１１…通信手段、１２…報知手段、１３…検知手段、１４，２５…電源出力手段、１５，２４…電源入力手段、１６，２６…嵌合部、２１…アンテナ、２２…無線通信手段、２３…制御手段、２７，５２…爪部、２８…凹部。
【先行技術文献】
【特許文献】
【００４８】
【特許文献１】特許第３６９３５３１号公報
【特許文献２】特開２００７−５７３３６号公報
【特許文献３】特開２００７−８９１１９号公報
【特許文献４】特開２００７−１４０６２４号公報
【図１】
2010277503.tif 000003
【図２】
2010277503.tif 000004
【図３】
2010277503.tif 000005
【図４】
2010277503.tif 000006
【図５】
2010277503.tif 000007
【図６】
2010277503.tif 000008